(57)【要約】【課題】リモコンを幼児におもちゃとして与えて遊ばせることができるとともに、幼児のでたらめなリモコンのキー操作から光ディスクのデータを保護することができる光ディスク装置を提供する。【解決手段】光ディスク装置１０は、制御部１１、受信部１２、記録処理部１３及びピックアップヘッド１５等を備える。記録処理部１３は、光ディスク１９にピックアップヘッド１５からレーザ光を照射することでデータを記録する。受信部１２はリモコン１８がキー操作に応じて出力したリモコン信号を受信する。制御部１１は、受信部１２が受信したリモコン信号が装置本体にセットされている光ディスク１９に対するデータの記録を要求するリモコン信号であった場合に、このリモコン信号を有効とする第１のモード、または、このリモコン信号を無効とする第２のモードで、装置本体を動作させる。【選択図】図１
2007280481.tif 000002
【特許請求の範囲】
【請求項１】
前記装置本体にセットされている光ディスクに対するデータの記録や、記録されているデータの再生を行う記録／再生手段と、
リモコン装置がキー操作に応じて出力したリモコン信号を受信する受信手段と、を備え、
前記受信手段が受信した前記リモコン信号に応じて、装置本体の動作を制御する光ディスク装置において、
前記受信手段が受信したリモコン信号が装置本体にセットされている光ディスクに対するデータの記録を要求するリモコン信号であった場合に、このリモコン信号を有効とする第１のモード、または、このリモコン信号を無効とする第２のモードで、装置本体を動作させる制御手段を備え、
前記制御手段は、前記受信手段において、予め定められた種類の第１のリモコン信号を、所定時間にわたって、繰り返し受信したときに、装置本体を動作させる動作モードを前記第１のモードに設定し、また、前記受信手段において、予め定められた種類の第２のリモコン信号を、所定時間にわたって、繰り返し受信したときに、装置本体を動作させる動作モードを前記第２のモードに設定し、
前記第２のモードにおける出力音声の音量の上限値を、前記第１のモードにおける出力音声の音量の上限値よりも、低く設定する、光ディスク装置。
【請求項２】
前記装置本体にセットされている光ディスクに対するデータの記録や、記録されているデータの再生を行う記録／再生手段と、
リモコン装置がキー操作に応じて出力したリモコン信号を受信する受信手段と、を備え、
前記受信手段が受信した前記リモコン信号に応じて、装置本体の動作を制御する光ディスク装置において、
前記受信手段が受信したリモコン信号が装置本体にセットされている光ディスクに対するデータの記録を要求するリモコン信号であった場合に、このリモコン信号を有効とする第１のモード、または、このリモコン信号を無効とする第２のモードで、装置本体を動作させる制御手段を備えた光ディスク装置。
【請求項３】
前記制御手段は、前記受信手段において、予め定められた種類の第１のリモコン信号を、所定時間にわたって、繰り返し受信したときに、装置本体を動作させる動作モードを切り換える、請求項２に記載の光ディスク装置。
【請求項４】
前記制御手段は、前記受信手段において、予め定められた種類の第１のリモコン信号を、所定時間にわたって、繰り返し受信したときに、装置本体を動作させる動作モードを前記第１のモードに設定し、また、前記受信手段において、予め定められた種類の第２のリモコン信号を、所定時間にわたって、繰り返し受信したときに、装置本体を動作させる動作モードを前記第２のモードに設定する、請求項２に記載の光ディスク装置。
【請求項５】
前記制御手段は、前記第２のモードにおける出力音声の音量の上限値を、前記第１のモードにおける出力音声の音量の上限値よりも、低く設定する、請求項２〜４のいずれかに記載の光ディスク装置。
【発明の詳細な説明】
【技術分野】
【０００１】
この発明は、リモコン装置を操作することで、装置本体を動作させる光ディスク装置に関する。
【背景技術】
【０００２】
従来、装置本体にセットされている光ディスクに対するデータの記録や、記録されているデータの再生が行える光ディスク装置が、広く一般に普及している。一般的な光ディスク装置は、リモコンの操作で、装置本体を動作させることができる。また、多くのユーザは、使い勝手の面から、リモコンを、テーブルの上など、光ディスク装置を使用するときに手の届きやすい場所に置いている。このため、幼児が、リモコンをおもちゃにして、でたらめにリモコンのキーを押すことがあり、その結果、光ディスクに記録済みのデータの上に意図しないデータが上書きされたり、記録済みのデータが消去されてしまうことがあった。
【０００３】
このような事態が生じるのを防止するために、リモコンのキー操作に応じた装置本体の動作制御を有効（以下、有効モードと言う。）とするか、無効とするか（以下、無効モードと言う。）を切り換えることが提案されている（例えば、特許文献１，２参照。）。無効モードでは、リモコンが装置本体に対するリモコン信号の出力を制限する構成としてもよいし、装置本体がリモコンからのリモコン信号を無視する構成としてもよい。
【特許文献１】特開２００６−０１４２５２公報
【特許文献２】特開平１０−２００９７０号公報
【発明の開示】
【発明が解決しようとする課題】
【０００４】
しかしながら、従来の光ディスク装置は、有効モード、または無効モードの切り換えを行う構成であったため、無効モードに設定されているとき、幼児がリモコンを操作しても、装置本体が何ら動作しない。このため、リモコンのキー操作にともなう、再生映像や再生音声の変化を、幼児に楽しませることができないという問題があった。すなわち、リモコンを幼児におもちゃとして与え、遊ばせることができなかった。また、幼児は、大人の行動に興味をもち、その真似をして学習し、成長するのであるが、幼児にリモコンで遊ばせることができないため、幼児がリモコンの操作を学習する妨げにもなっていた。
【０００５】
この発明の目的は、リモコンを幼児におもちゃとして与えて遊ばせることができるとともに、幼児のでたらめなリモコンのキー操作から光ディスクのデータを保護することができる光ディスク装置を提供することにある。
【課題を解決するための手段】
【０００６】
この発明の光ディスク装置は、上述の課題を解決するために以下のように構成される。
【０００７】
（１）前記装置本体にセットされている光ディスクに対するデータの記録や、記録されているデータの再生を行う記録／再生手段と、
リモコン装置がキー操作に応じて出力したリモコン信号を受信する受信手段と、を備え、
前記受信手段が受信した前記リモコン信号に応じて、装置本体の動作を制御する光ディスク装置において、
前記受信手段が受信したリモコン信号が装置本体にセットされている光ディスクに対するデータの記録を要求するリモコン信号であった場合に、このリモコン信号を有効とする第１のモード、または、このリモコン信号を無効とする第２のモードで、装置本体を動作させる制御手段を備えている。
【０００８】
この構成においては、第の１モードでは、通常通りに全てのリモコン信号が有効とされ、リモコンでの操作に応じて装置本体が動作する。これに対して、第２のモードでは、光ディスクに対するデータの記録を要求するリモコン信号が無効にされ、それ以外の全て又は一部のリモコン信号は有効とされる。
【０００９】
このため、大人であるユーザの不使用時には、第２のモードに設定しておくことで、幼児のでたらめなリモコン操作によって、光ディスクに記録済みのデータの上にユーザの意図しないデータが上書きされたり、記録済みのデータが消去されたり、又は、ユーザが予め設定しておいた録画予約情報が変更されたりすることが、防止される。
【００１０】
また、ユーザの不使用時に第２モードに設定しておいた場合でも、光ディスクへのデータの記録に係る操作以外の操作は有効とされるので、リモコンを幼児に興味深いおもちゃとして与えることができる。リモコンを幼児におもちゃとして与えることで、幼児にリモコンの操作を学習させることができる。
【００１１】
したがって、ユーザの不使用時に第２のモードに設定しておくことで、リモコンを幼児におもちゃとして与えて遊ばせることができるとともに、幼児のでたらめなリモコンのキー操作から光ディスクのデータを保護することができる。これによって、安心して幼児にリモコンを触らせることができるとともに、幼児の成長を促すことができる。
【００１２】
（２）前記制御手段は、前記受信手段において、予め定められた種類の第１のリモコン信号を、所定時間にわたって、繰り返し受信したときに、装置本体を動作させる動作モードを切り換える。
【００１３】
この構成においては、リモコンのキーを増加させることなく、第１のモードと第２のモードとの切換操作が可能となる。このため、コストを抑えながら、リモコンを幼児に興味深いおもちゃとして与えることができるととともに、幼児のでたらめなリモコン操作から光ディスクのデータを保護することができる。
【００１４】
なお、この構成では、現在設定されているモードを表示する表示部を設けることが望ましい。
【００１５】
（３）前記制御手段は、前記受信手段において、予め定められた種類の第１のリモコン信号を、所定時間にわたって、繰り返し受信したときに、装置本体を動作させる動作モードを前記第１のモードに設定し、また、前記受信手段において、予め定められた種類の第２のリモコン信号を、所定時間にわたって、繰り返し受信したときに、装置本体を動作させる動作モードを前記第２のモードに設定する。
【００１６】
この構成においては、第１のモードに切り換えるためのキーと、第２のモードに切り換えるためのキーとが別個に設定されるので、第１のモードと第２のモードとのいずれのモードに切り換えたのかを、ユーザが明確に認識することができ、第１のモードと第２のモードとの誤設定を防止することができる。
【００１７】
（４）前記制御手段は、前記第２のモードにおける出力音声の音量の上限値を、前記第１のモードにおける出力音声の音量の上限値よりも、低く設定する。
【００１８】
この構成においては、第２のモードにおいては、出力音声の音量の上限値が、第１のモードにおける出力音声の音量の上限値より、低く設定される。このため、幼児が出力音声の音量を大きくしようとしても、音量は、ある程度の大きさ（上限値）までは大きくなるが、上限値以上には大きくならない。
【００１９】
このように、出力音声の音量の調整操作について、単なる有効無効を判断するのではなく、第の２モードにおいて、所定の上限値に到達するまでは幼児の自由な操作を有効とし、上限値に到達した場合は、音量を高くする操作を無効とすることができる。これによって、リモコンを幼児に興味深いおもちゃとして与えることができるとともに、騒音を防止することができる。
【発明の効果】
【００２０】
この発明によれば、リモコンを幼児におもちゃとして与える場合に、装置本体を第２モードに設定しておくことで、リモコンを幼児の興味深いおもちゃにすることができるとともに、幼児のでたらめなリモコンのキー操作から光ディスクのデータを保護することができる。また、リモコンの操作を幼児に学習させ、幼児の成長を促すことができる。
【発明を実施するための最良の形態】
【００２１】
以下に、この発明を実施形態である光ディスク装置について説明する。
【００２２】
図１は、この発明の実施形態に係る光ディスク装置１０の主要部の構成を示すブロック図である。装置本体である光ディスク装置１０は、制御部１１、受信部１２、記録処理部１３、入力部１４、ピックアップヘッド１５、再生処理部１６及び出力部１７を備えている。制御部１１は、この発明の制御手段に相当する。記録処理部１３、ピックアップヘッド１５、および再生処理部１６は、この発明の記録／再生手段に含まれる。受信部１２は、この発明の受信手段に相当する。
【００２３】
光ディスク装置１０は、入力部１４に入力されている番組（データ）を光ディスク１９に録画することができる。また、光ディスク装置１０は、光ディスク１９に録画されている番組を再生することもできる。光ディスク１９は、例えば、ＤＶＤ−Ｒ、ＤＶＤ＋Ｒ、ＤＶＤ−ＲＷ、ＤＶＤ＋ＲＷ、ＤＶＤ−ＲＡＭ、ＣＤ−Ｒ、ＣＤ−ＲＷ、及び、ＭＯ等である。
【００２４】
ピックアップヘッド１５は、ヘッド用モータ（不図示）によって、セットされている光ディスク１９の半径方向に移動自在に構成されている。また、ピックアップヘッド１５は、対物レンズ（不図示）を備えている。対物レンズは、２軸方向に移動自在なアクチュエータに支持され、アクチュエータの駆動によって、光ディスク１９に対して接離する方向、及び、光ディスク１９の半径方向に、移動する。
【００２５】
入力部１４には、例えば図示していないアンテナが接続され、このアンテナで受信されたテレビ放送信号から、選局されているチャンネルのテレビ放送信号を抽出するチューナが設けられている。入力部１４は、選局されているチャンネルのテレビ放送信号等に基づく、光ディスク１９に記録するデータを記録処理部１３へ出力する。
【００２６】
記録処理部１３は、入力部１４から入力されたデータをエンコードし、エンコードしたデータを光ディスク１９に記録する。光ディスク１９へのデータの記録は、ピックアップヘッド１５から光ディスク１９へ照射するレーザ光を制御することにより行われる。
【００２７】
再生処理部１６は、ピックアップヘッド１５が光ディスク１９にレーザ光を照射し、検出した反射光に基づく読み取り信号（ＲＦ信号）を処理して、この光ディスク１９に記録されているデータを取得する。また、再生処理部１６は、取得したデータをデコードし、出力部１７に出力する。
【００２８】
出力部１７には、映像を表示する表示装置２１や、音声を出力するスピーカ２０が接続される。出力部１７は、光ディスク１９に録画されている番組の映像に係る映像信号や音声信号を出力する。映像信号は表示装置２１に入力され、表示装置２１において映像が表示される。また、音声信号はスピーカ２０に入力され、スピーカ２０において音声が出力される。
【００２９】
ユーザは、光ディスク装置１０本体に設けられている操作部（不図示）の操作キーや、リモコン１８の操作部の操作キーの操作で、光ディスク装置１０に所望の動作を行わせることができる。
【００３０】
リモコン１８は、送信部１８Ａ及び操作部１８Ｂを有する。操作部１８Ｂには、複数の操作キーが設けられている。リモコン１８では、光ディスク装置１０にセットされた光ディスク１９に対するデータの記録、消去、再生、さらには、タイマ予約録画情報の設定などに係る入力操作が行える。タイマ予約録画情報には、録画する番組毎に、録画開始時刻情報、録画終了時刻情報、及び、チャンネル情報等が含まれている。制御部１１が、このタイマ予約録画情報を記憶する。リモコン１８は、操作された操作キーに応じたリモコン信号を送信部１８Ａから送出する。送信部１８Ａは、リモコン信号を赤外線や電波等で送出する。リモコン１８は、このリモコン信号により、光ディスク装置１０に対して動作要求を行う。
【００３１】
光ディスク装置１０の受信部１２は、リモコン１８から送出されたリモコン信号を受信すると、受信したリモコン信号を制御部１１に通知する。
【００３２】
制御部１１は、装置本体を、第１のモード、または第２のモードで動作させる。第１のモードは、リモコン１８における操作キーの操作にともなう装置本体の動作を制限しない通常モードである。一方、第２のモードは、リモコン１８における操作キーの操作にともなう、光ディスク１９に対するデータの記録（追記、および書換を含む）にかかる動作要求や、光ディスク１９に記録されているデータの削除にかかる動作要求（以下、総称して更新動作要求と言う。）を無効とするチャイルドモードである。ここで言う更新動作要求には、光ディスク１９に録画されている番組の編集にかかる動作要求も含まれる。さらに、第２モードは、リモコン１８における操作キーの操作にともなう、光ディスク１９に記録されているデータ（番組）の再生にかかる動作要求については無効とせず、再生動作を実行する。
【００３３】
また、制御部１１は、受信部１２において、第１のリモコン信号を、所定時間（例えば、４秒）にわたって、繰り返し受信したときに、装置本体の動作モードを第１のモードに設定する。すなわち、ユーザは、リモコン１８の操作部１８Ｂの予め定められた第１の操作キー（第１のリモコン信号を送出する操作キー）を所定時間、長押しすることにより、装置本体の動作モードを第１のモードに設定できる。また、制御部１１は、受信部１２において、第２のリモコン信号を、所定時間（例えば、４秒）にわたって、繰り返し受信したときに、装置本体の動作モードを第２のモードに設定する。すなわち、ユーザは、リモコン１８の操作部１８Ｂの予め定められた第２の操作キー（第２のリモコン信号を送出する操作キー）を所定時間、長押しすることにより、装置本体の動作モードを第２のモードに設定できる。
【００３４】
なお、制御部１１は、受信部１２において、第１のリモコン信号または第２のリモコン信号を所定時間にわたって繰り返し受信する前の動作モードが、第１のモード、または第２のモードのいずれであっても、第１のリモコン信号を所定時間にわたって繰り返し受信したときには、装置本体の動作モードを第１のモードに設定し、第２のリモコン信号を所定時間にわたって繰り返し受信したときには、装置本体の動作モードを第２のモードに設定する。
【００３５】
また、制御部１１は、第１メモリ１１Ａと第２メモリ１１Ｂとを有する。第１メモリ１１Ａと、第２メモリ１１Ｂとは、ハードウェア的には別々のメモリで構成してもよいし、１つのメモリで記憶領域を分けて構成してもよい。第１メモリ１１Ａ及び第２メモリ１１Ｂは、不揮発性メモリで構成される。第１メモリ１１Ａは、上述したタイマ予約録画情報等、種々の設定情報を記憶する。また、第２メモリ１１Ｂは、第１メモリ１１Ａに記憶されている設定情報のバックアップ領域として使用される。具体的には、装置本体の動作モードを第１のモードから第２のモードに切り換えたときに、第１メモリ１１Ａが記憶する設定情報を第２メモリ１１Ｂに書き込む。反対に、装置本体の動作モードを第２のモードから第１のモードに切り換えたときに、第２メモリ１１Ｂが記憶する設定情報を第１メモリ１１Ａに書き込む。また、第１メモリ１１Ａが記憶する設定情報を更新するときに、更新前の設定情報を第２メモリ１１Ｂに書き込む。さらに、制御部１１は、動作モードが第１のモードであるときに、リモコン１８の操作部１８Ｂの操作キーのうち特定のアンドゥキーが操作されると、第２メモリ１１Ｂが記憶する設定情報を第１メモリ１１Ａに書き込む。
【００３６】
さらに、制御部１１は、出力音声の音量の上限値が第１のモードと第２のモードで個別に設定している（図２参照）。第１のモードにおける出力音声の音量の上限値Ｍは、第２のモードにおける出力音声の音量の上限値Ｌよりも大きい。言い換えれば、第２のモードにおける出力音声の音量の上限値Ｌを、前記第１のモードにおける出力音声の音量の上限値Ｍよりも、低く設定している。
【００３７】
次に、この実施形態の光ディスク装置１０の動作について説明する。図３は、この実施形態の光ディスク装置１０の第１のモードにおける動作を示すフローチャートである。
【００３８】
制御部１１は、第１のモードにおいて、リモコン信号を受信すると（Ｓ１）、受信したリモコン信号が、第１モードから第２モードへの切換操作による第２のリモコン信号ではなく（Ｓ２）、アンドゥキーが押されるアンドゥ操作によるリモコン信号である場合（Ｓ３）、第２メモリ１１Ｂに記憶させていた設定情報を第１メモリ１１Ａに書き込む（Ｓ４）。
【００３９】
制御部１１は、受信したリモコン信号が、第１のモードから第２のモードへの切換操作によるリモコン信号、すなわち、第２のリモコン信号ではなく（Ｓ２）、アンドゥ操作によるリモコン信号でもない場合（Ｓ３）、第１メモリ１１Ａに記憶されている設定情報を更新するリモコン信号であるか否かを判定する（Ｓ５）。
【００４０】
制御部１１は、第１メモリ１１Ａに記憶されている設定情報が更新された場合、第１メモリ１１Ａに記憶されている設定情報を第２メモリ１１Ｂへ書き込む（Ｓ６）。制御部１１は、受信されたリモコン信号が、第１メモリ１１Ａに記憶されている設定情報を更新するリモコン信号でもない場合、そのリモコン信号に応じて、再生、早送り、消音等の処理動作を行う（Ｓ７）。
【００４１】
制御部１１は、第１のモードから第２のモードへの切換操作による第２のリモコン信号を受信したとき（Ｓ２）、第１メモリ１１Ａに記憶されている設定情報を第２メモリ１１Ｂへ書き込み（Ｓ８）、出力音声の音量に上限値Ｌを設定した後（Ｓ９）、第１のモードを終了して第２のモードへ切り換える。出力音声の音量の上限値Ｌとして、第１モードにおける出力音声の音量の上限値Ｍより小さい値が設定される。
【００４２】
図４は、この実施形態の光ディスク装置１０の第２のモードにおける動作を示すフローチャートである。
【００４３】
制御部１１は、第２モードにおいて、リモコン信号を受信すると（Ｓ１１）、そのリモコン信号が第の２モードから第１のモードへの切換操作（この実施形態では、第１の操作キーの４秒以上の長押し）による第１のリモコン信号である場合（Ｓ１２）、そのリモコン信号を有効として、第２メモリ１１Ｂに退避させていた設定情報を第１メモリ１１Ａに復元させる（Ｓ１２）。これによって、第１メモリ１１Ａが記憶する設定情報が幼児のでたらめな操作によって書き換えられていた場合でも、幼児による書き換え前の設定情報が第１メモリ１１Ａ上に復元される。また、このとき、出力音声の音量の上限値Ｌは解除され、出力音声の音量が上限値Ｍまで変更可能になる。
【００４４】
制御部１１は、第２のモードにおいて、受信したリモコン信号が第２のモードから第１のモードへの切換操作による第１のリモコン信号でない場合（Ｓ１２）、そのリモコン信号が、光ディスク１９に対する更新動作要求であるか否かを判定する（Ｓ１４）。
【００４５】
制御部１１は、第２のモードにおいて、受信したリモコン信号が光ディスク１９に対する更新動作要求である場合（Ｓ１４）、そのリモコン信号を無効として扱い、Ｓ１１の処理に戻る。このため、第２のモードでは、光ディスク１９に対してデータを記録又は削除することができない。したがって、幼児のでたらめな操作から、光ディスク１９のデータが保護される。
【００４６】
制御部１１は、第２のモードにおいて、受信したリモコン信号が、光ディスク１９に対する更新動作要求ではなく（Ｓ１４）、出力音声の音量を高くする要求でもない場合（Ｓ１５）、そのリモコン信号に応じて処理動作を行う（Ｓ１６）。
【００４７】
制御部１１は、第２のモードにおいて、受信したリモコン信号が、出力音声の音量を高くする操作であり（Ｓ１５）、出力音声の音量が上限値Ｌに到達していない場合（Ｓ１７）、そのリモコン信号を有効として、リモコン信号に応じて音量を高くする（Ｓ１８）。制御部１１は、出力音声の音量がすでに上限値Ｌに到達している場合（Ｓ１７）、そのリモコン信号を無効として、Ｓ１１の処理に戻る。
【００４８】
光ディスク装置１０によれば、ユーザの不使用時に第２のモードに設定しておくことで、リモコン１８を幼児の興味深いおもちゃにすることができるとともに、幼児のでたらめなリモコン操作から光ディスク１９のデータを保護することができる。これによって、安心して幼児にリモコン１８を触らせることができるとともに、幼児の成長を促すことができる。
【００４９】
また、制御部１１は、各機能について単なる有効無効を判断するのではなく、ボリュームを変更する操作については、第２のモードにおいて、所定の上限値Ｌまでは幼児の自由な操作を有効とし、上限値Ｌを超える大きさにしようとする操作のみを無効とする。これによって、リモコン１８を幼児にとっての興味深いおもちゃにすることができるとともに、ボリュームを過大に変更することによる騒音を防止することができる。
【００５０】
なお、制御部１１は、受信部１２において、予め定められた種類の第１のリモコン信号を、所定時間にわたって繰り返し受信したときに、第１のモードと第２のモードとを切り換える構成にしてもよい。すなわち、リモコン１８の操作部１８Ａのうち予め定められた第１の操作キーが所定時間、長押しされたとき、装置本体の動作モードを第１のモードと第２のモードとに切り換えるようにしてもよい。この構成によれば、リモコン１８の操作部１８Ｂの操作キーの数を増加させることなく、第１のモードと第２のモードとを切り換えることができる。このため、製造コストを抑えることができる。
【００５１】
また、制御部１１は、操作部１８Ｂの操作キーによって、予め設定されたパスワードが入力されたとき、第１モードと第２モードとを切り換えるようにしてもよい。
【００５２】
さらに、光ディスク装置１０の装置本体に設けられている操作部の操作キーについても、第２のモードにおいては、更新動作要求を無効とするようにしてもよい。装置本体の操作部よりも、リモコンの方が、幼児のおもちゃにされやすいため、受信されたリモコン信号についての装置本体の動作を上述のように制御することで、リモコン１８を幼児のおもちゃにできるとともに光ディスク１９のデータを保護できるという効果を奏することができるが、装置本体の操作部についても同様に制御することで、より確実に、幼児のでたらめなリモコン操作から光ディスク１９のデータを保護することができる。
【図面の簡単な説明】
【００５３】
【図１】この発明の実施形態に係る光ディスク装置の概略の構成を示すブロック図である。
【図２】ボリュームの変更可能範囲を示す説明図である。
【図３】第１のモードにおける光ディスク装置の動作を示すフローチャートである。
【図４】第２のモードにおける光ディスク装置の動作を示すフローチャートである。
【符号の説明】
【００５４】
１０  光ディスク装置
１１  制御部（制御手段）
１１Ａ  第１メモリ
１１Ｂ  第２メモリ
１２  受信部（受信手段）
１３  記録処理部
１５  ピックアップヘッド
１６  再生処理部
１８  リモコン
１９  光ディスク
【図１】
2007280481.tif 000003
【図２】
2007280481.tif 000004
【図３】
2007280481.tif 000005
【図４】
2007280481.tif 000006